(57)【要約】【課題】記録装置及び読み取り装置の一方が静音モードで動作するとき、静音性が損なわれるのを低減する。【解決手段】複写処理が開始されると、プリント装置の動作モードが静音モードに設定されていないとき（Ｓ１０２：ＮＯ）、スキャン処理及び印刷処理の連携動作を行う（Ｓ１０７）。プリント装置の動作モードが静音モードに設定されているとき（Ｓ１０２：ＹＥＳ）、スキャナユニットの動作モードを静音動作に設定した後に（Ｓ１０６、Ｓ１０９、Ｓ１１２）、スキャン処理及び印刷処理の連携動作を行う（Ｓ１０７）。【選択図】図４
2015195513.tif 000002
【特許請求の範囲】
【請求項１】
記録媒体を搬送させつつ記録媒体に画像を記録する記録装置及び記録媒体を搬送させつつ記録媒体に記録された画像を読み取る読み取り装置を制御する制御装置のコンピュータが実行可能なプログラムであって、
前記読み取り装置が記録媒体から画像を読み取り、当該読み取った画像を前記記録装置が記録媒体に記録する連携動作指示を受け付けた場合、
前記記録装置及び前記読み取り装置の各々から、設定されている動作モードに関する動作モード情報を取得し、
取得した前記記録装置及び前記読み取り装置に係る動作モード情報のうち、少なくとも１つの動作モード情報が静音モードを示しており、かつ、少なくとも１つの動作モード情報が静音モードを示していない場合には、動作モード情報が静音モードを示していない装置に対して、静音動作をさせるための指示をするよう、前記制御装置を機能させることを特徴とするプログラム。
【請求項２】
取得した前記記録装置及び前記読み取り装置に係る動作モード情報のうち、少なくとも１つの動作モード情報が静音モードを示しており、かつ、少なくとも１つの動作モード情報が静音モードを示していない場合に、動作モード情報が静音モードを示していない装置に対してさせる静音動作は、記録媒体の搬送速度を低減させる動作であることを特徴とする、請求項１に記載のプログラム。
【請求項３】
取得した前記記録装置及び前記読み取り装置に係る動作モード情報のうち、少なくとも１つの動作モード情報が静音モードを示しており、かつ、少なくとも１つの動作モード情報が静音モードを示していない場合に、動作モード情報が静音モードを示していない装置に対してさせる静音動作は、静音モードでの動作を含むことを特徴とする請求項１に記載のプログラム。
【請求項４】
取得した前記記録装置及び前記読取装置に係る動作モード情報のうち、少なくとも１つの動作モード情報が静音モードを示しており、かつ、前記読取装置に係る動作モードのうち、少なくとも１つが静音モードを示していない場合に、静音モードを示していない動作モード情報の取得元の前記読み取り装置が、静音モードを設定可能な動作モードとして備えないときは、当該読み取り装置を、少なくとも記録媒体の搬送方向についての画像の読み取り解像度を高くして読み取りを行う高解像度読み取りモードで動作させるよう、前記制御装置を機能させることを特徴とする請求項３に記載のプログラム。
【請求項５】
前記読み取り装置により前記高解像度読み取りモードで読み取られた画像の解像度を低下させた画像を、前記記録装置により、記録媒体に記録させるよう前記制御装置を機能させることを特徴とする請求項４に記載のプログラム。
【請求項６】
前記読み取り装置が前記高解像度読み取りモードにおいて、記録媒体から読み取った画像に係る画像データを、前記読み取り装置から取得し、
取得した画像データに、画像の解像度を低下させる低解像度化を行い、低解像度化した画像データが示す画像を、前記記録装置に記録させるよう、前記制御装置を機能させることを特徴とする請求項４に記載のプログラム。
【請求項７】
前記読み取り装置が前記高解像度読み取りモードにおいて、記録媒体から読み取った画像に係る画像データを、前記読み取り装置から取得し、
前記記録装置へ、取得した画像データが示す画像及び当該画像の解像度を低下させつつ記録媒体に記録するよう指令を行うよう、前記制御装置を機能させることを特徴とする請求項４に記載のプログラム。
【請求項８】
前記記録装置と前記読み取り装置の位置に関する位置情報を取得し、取得した位置情報が示す各装置間の距離が所定の距離以上離れていると判断したとき、取得した前記記録装置及び前記読み取り装置に係る前記動作モード情報の少なくとも１つが静音モードを示しており、少なくとも１つが静音モードを示していないとしても、前記静音モードを示す動作モード情報の取得元の装置から、位置情報が示す距離が所定の距離以上離れており、かつ、前記静音モードを示さない動作モード情報の取得元の装置については、静音動作をさせるための指示をしないよう、前記制御装置を機能させることを特徴とする請求項１〜５のいずれか１項に記載のプログラム。
【請求項９】
記録媒体を搬送させつつ記録媒体に画像を記録する記録装置及び記録媒体を搬送させつつ記録媒体に記録された画像を読み取る読み取り装置を制御する制御装置のコンピュータが実行可能なプログラムであって、
前記読み取り装置が記録媒体から画像を読み取り、当該読み取った画像を前記記録装置が記録媒体に記録する連携動作指示を受け付けた場合、
前記記録装置から、設定されている動作モードに関する動作モード情報を取得し、
取得した前記記録装置に係る動作モード情報が静音モードを示している場合には、前記読み取り装置に対して、静音動作をさせるための指示をするよう、前記制御装置を機能させることを特徴とするプログラム。
【請求項１０】
記録媒体を搬送させつつ記録媒体に画像を記録する記録装置及び記録媒体を搬送させつつ記録媒体に記録された画像を読み取る読み取り装置を制御する制御装置のコンピュータが実行可能なプログラムであって、
前記読み取り装置が記録媒体から画像を読み取り、当該読み取った画像を前記記録装置が記録媒体に記録する連携動作指令を受け付けた場合、
前記記録装置及び前記読み取り装置の各々から、設定されている動作モードに関する動作モード情報を取得し、
取得した前記記録装置及び前記読み取り装置に係る動作モード情報のうち、少なくとも１つの動作モード情報が静音モードを示しており、かつ、少なくとも１つの動作モード情報が静音モードを示していない場合には、ユーザの選択結果にしたがって、動作モード情報が静音モードを示していない装置に対して静音動作をさせるための指示をするか否かを判断するよう、前記制御装置を機能させることを特徴とするプログラム。
【請求項１１】
取得した前記記録装置及び前記読み取り装置に係る動作モード情報のうち、少なくとも１つの動作モード情報が静音モードを示しており、かつ、少なくとも１つの動作モード情報が静音モードを示していない場合に、ユーザの選択結果にしたがって、動作モード情報が静音モードを示していない装置に対して静音動作をさせないことが、
（ａ）動作モード情報が静音モードを示す装置に静音動作をさせ、且つ動作モード情報が静音モードを示さない装置に静音動作をさせないこと、及び、
（ｂ）動作モード情報が静音モードを示す装置、及び動作モード情報が静音モードを示さない装置のいずれも、静音動作をさせないこと、
の２つの選択肢を含んでいることを特徴とする請求項１０に記載のプログラム。
【請求項１２】
記録媒体を搬送させつつ記録媒体に画像を記録する記録装置と、
記録媒体を搬送させつつ記録媒体に記録された画像を読み取る読み取り装置と、
前記記録装置及び前記読み取り装置を制御する制御装置とを備えており、
前記制御装置は、
前記読み取り装置が記録媒体から画像を読み取り、当該読み取った画像を前記記録装置が記録媒体に記録する連携動作指示を受け付けた場合、
前記記録装置及び前記読み取り装置の各々から、設定されている動作モードに関する動作モード情報を取得し、
取得した前記記録装置及び前記読み取り装置に係る動作モード情報のうち、少なくとも１つの動作モード情報が静音モードを示しており、かつ、少なくとも１つの動作モード情報が静音モードを示していない場合には、動作モード情報が静音モードを示していない装置に対して、静音動作をさせることを特徴とする画像処理装置。
【請求項１３】
記録媒体を搬送させつつ記録媒体に画像を記録する記録装置と、
記録媒体を搬送させつつ記録媒体に記録された画像を読み取る読み取り装置と、
前記記録装置及び前記読み取り装置を制御する制御装置とを備えており、
前記制御装置は、
前記読み取り装置が記録媒体から画像を読み取り、当該読み取った画像を前記記録装置が記録媒体に記録する連携動作指示を受け付けた場合、
前記記録装置から、設定されている動作モードに関する動作モード情報を取得し、
取得した前記記録装置に係る動作モード情報が静音モードを示している場合には、前記読み取り装置に対して、静音動作をさせることを特徴とする画像処理装置。
【請求項１４】
記録媒体を搬送させつつ記録媒体に画像を記録する記録装置と、
記録媒体を搬送させつつ記録媒体に記録された画像を読み取る読み取り装置と、
前記記録装置及び前記読み取り装置を制御する制御装置とを備えており、
前記制御装置は、
前記読み取り装置が記録媒体から画像を読み取り、当該読み取った画像を前記記録装置が記録媒体に記録する連携動作指令を受け付けた場合、
前記記録装置及び前記読み取り装置の各々から、設定されている動作モードに関する動作モード情報を取得し、
取得した前記記録装置及び前記読み取り装置に係る動作モード情報のうち、少なくとも１つの動作モード情報が静音モードを示しており、かつ、少なくとも１つの動作モード情報が静音モードを示していない場合には、ユーザの選択結果にしたがって、動作モード情報が静音モードを示していない装置に対して静音動作をさせるか否かを判断することを特徴とする画像処理装置。
【発明の詳細な説明】
【技術分野】
【０００１】
本発明は、記録媒体に画像を記録する記録装置及び記録媒体に記録された画像を読み取る読み取り装置を制御する制御装置のプログラム及び画像処理装置に関する。
【背景技術】
【０００２】
印刷速度よりも静音性が優先される場合に、用紙の搬送速度を下げて機械音を低減させる静音モードを選択することができるプリンタが知られている（例えば、特許文献１参照）。
【０００３】
【特許文献１】特開２００７−５０５６６号公報
【発明の概要】
【発明が解決しようとする課題】
【０００４】
スキャナで読み取った画像をプリンタで印刷するという連携動作を行うとき、プリンタは静音モードで作動したとしても、スキャナにおいて通常の搬送速度で用紙が搬送されると結果的に静音性が損なわれる。
【０００５】
本発明の目的は、記録装置及び読み取り装置の一方が静音モードで動作するとき、静音性が損なわれるのを低減することができる画像処理装置及びプログラムを提供することである。
【課題を解決するための手段】
【０００６】
本発明のプログラムは、記録媒体を搬送させつつ記録媒体に画像を記録する記録装置及び記録媒体を搬送させつつ記録媒体に記録された画像を読み取る読み取り装置を制御する制御装置のコンピュータが実行可能なプログラムであって、前記読み取り装置が記録媒体から画像を読み取り、当該読み取った画像を前記記録装置が記録媒体に記録する連携動作指示を受け付けた場合、前記記録装置及び前記読み取り装置の各々から、設定されている動作モードに関する動作モード情報を取得し、取得した前記記録装置及び前記読み取り装置に係る動作モード情報のうち、少なくとも１つの動作モード情報が静音モードを示しており、かつ、少なくとも１つの動作モード情報が静音モードを示していない場合には、動作モード情報が静音モードを示していない装置に対して、静音動作をさせるための指示をするよう、前記制御装置を機能させる。
【０００７】
別の観点から見て本発明のプログラムは、記録媒体を搬送させつつ記録媒体に画像を記録する記録装置及び記録媒体を搬送させつつ記録媒体に記録された画像を読み取る読み取り装置を制御する制御装置のコンピュータが実行可能なプログラムであって、前記読み取り装置が記録媒体から画像を読み取り、当該読み取った画像を前記記録装置が記録媒体に記録する連携動作指示を受け付けた場合、前記記録装置から、設定されている動作モードに関する動作モード情報を取得し、取得した前記記録装置に係る動作モード情報が静音モードを示している場合には、前記読み取り装置に対して、静音動作をさせるための指示をするよう、前記制御装置を機能させる。
【０００８】
さらに、別の観点から見て本発明のプログラムは、記録媒体を搬送させつつ記録媒体に画像を記録する記録装置及び記録媒体を搬送させつつ記録媒体に記録された画像を読み取る読み取り装置を制御する制御装置のコンピュータが実行可能なプログラムであって、前記読み取り装置が記録媒体から画像を読み取り、当該読み取った画像を前記記録装置が記録媒体に記録する連携動作指令を受け付けた場合、前記記録装置及び前記読み取り装置の各々から、設定されている動作モードに関する動作モード情報を取得し、取得した前記記録装置及び前記読み取り装置に係る動作モード情報のうち、少なくとも１つの動作モード情報が静音モードを示しており、かつ、少なくとも１つの動作モード情報が静音モードを示していない場合には、ユーザの選択結果にしたがって、動作モード情報が静音モードを示していない装置に対して静音動作をさせるための指示をするか否かを判断するよう、前記制御装置を機能させる。
【０００９】
本発明の画像処理装置は、記録媒体を搬送させつつ記録媒体に画像を記録する記録装置と、記録媒体を搬送させつつ記録媒体に記録された画像を読み取る読み取り装置と、前記記録装置及び前記読み取り装置を制御する制御装置とを備えており、前記制御装置は、前記読み取り装置が記録媒体から画像を読み取り、当該読み取った画像を前記記録装置が記録媒体に記録する連携動作指示を受け付けた場合、前記記録装置及び前記読み取り装置の各々から、設定されている動作モードに関する動作モード情報を取得し、取得した前記記録装置及び前記読み取り装置に係る動作モード情報のうち、少なくとも１つの動作モード情報が静音モードを示しており、かつ、少なくとも１つの動作モード情報が静音モードを示していない場合には、動作モード情報が静音モードを示していない装置に対して、静音動作をさせる。
【００１０】
別の観点から見て本発明の画像処理装置は、記録媒体を搬送させつつ記録媒体に画像を記録する記録装置と、記録媒体を搬送させつつ記録媒体に記録された画像を読み取る読み取り装置と、前記記録装置及び前記読み取り装置を制御する制御装置とを備えており、前記制御装置は、前記読み取り装置が記録媒体から画像を読み取り、当該読み取った画像を前記記録装置が記録媒体に記録する連携動作指示を受け付けた場合、前記記録装置から、設定されている動作モードに関する動作モード情報を取得し、取得した前記記録装置に係る動作モード情報が静音モードを示している場合には、前記読み取り装置に対して、静音動作をさせる。
【００１１】
さらに、別の観点から見て本発明の画像処理装置は、記録媒体を搬送させつつ記録媒体に画像を記録する記録装置と、記録媒体を搬送させつつ記録媒体に記録された画像を読み取る読み取り装置と、前記記録装置及び前記読み取り装置を制御する制御装置とを備えており、前記制御装置は、前記読み取り装置が記録媒体から画像を読み取り、当該読み取った画像を前記記録装置が記録媒体に記録する連携動作指令を受け付けたとき、前記記録装置及び前記読み取り装置の各々から、設定されている動作モードに関する動作モード情報を取得し、取得した前記記録装置及び前記読み取り装置に係る動作モード情報のうち、少なくとも１つの動作モード情報が静音モードを示しており、かつ、少なくとも１つの動作モード情報が静音モードを示していない場合には、ユーザの選択結果にしたがって、動作モード情報が静音モードを示していない装置に対して静音動作をさせるか否かを判断する。
【発明の効果】
【００１２】
本発明によると、取得した動作モード情報のうち少なくとも１つが静音モードを示していれば、動作モード情報が静音モードを示していない装置に静音動作をさせるため、静音性が損なわれるのを低減することができる。また、取得した記録装置の動作モード情報が静音モードを示していれば、読み取り装置に静音動作をさせるため、静音性が損なわれるのを低減することができる。さらに、取得した動作モード情報のうち少なくとも１つが静音モードを示していれば、ユーザの選択結果により動作モード情報が静音モードを示していない装置に静音動作をさせるため、静音性が損なわれるのを低減することができると共にユーザの操作性を高くすることができる。
【図面の簡単な説明】
【００１３】
【図１】本発明の第１実施形態に係る複合機が接続されたネットワークの概略図である。
【図２】図１に示す複合機及びの内部を示す概略側面図である。
【図３】図１に示す複合機及びＰＣの機能ブロック図である。
【図４】図２に示す制御装置によって実行される複写処理の処理手順を示すフローチャートである。
【図５】本発明の第２実施形態に係る複写処理の処理手順を示すフローチャートである。
【図６】本発明の第３実施形態に係るネットワークの概略図である。
【図７】本発明の第３実施形態に係る複写処理の処理手順を示すフローチャートである。
【発明を実施するための形態】
【００１４】
＜第１実施形態＞
以下、本発明の一実施形態に係る画像処理装置について、添付図面を参照しつつ詳細に説明する。本実施形態は、スキャナ機能及び印刷機能を有する複合機（ＭＦＰ：Multi Function Peripheral）に本発明を適用したものである。図１に示すように、ＰＣ７０と、ＭＦＰ１とが同一のネットワークに接続されている。
【００１５】
図２に示すように、ＭＦＰ１は、共に直方体形状の上筐体１１及び下筐体１２を有している。なお、図２における左側面が正面３となっている。なお、図２における右側面が背面４となっている。上筐体１１は下面が開口し、下筐体１２は上面が開口している。上筐体１１は、下筐体１２に対して回動軸１３を中心に回動可能に連結されている。上筐体１１の上面には、載置部１５が設けられている。載置部１５には、印刷が完了して排出された用紙Ｐが順に載置される。
【００１６】
さらに、ＭＦＰ１の内部空間には、プリント装置３０と、用紙トレイ２０と、プラテン９とが配置されている。プリント装置３０は、インクジェットヘッド２と、搬送機構３５とを含んでいる。
【００１７】
インクジェットヘッド２は、その下面に、インク滴が吐出される複数のノズルが形成された吐出面を有している。用紙トレイ２０は、積層された複数の用紙Ｐを保持可能であり、下筐体１２の底面に着脱自在に配置されている。プラテン９は、用紙を支持するための板部材であり、上筐体１１が閉位置にあるとき、インクジェットヘッド２の吐出面と対向するように下筐体１２に固定されている。
【００１８】
搬送機構３５は、用紙トレイ２０からインクジェットヘッド２とプラテン９との間を通過して載置部１５まで至る用紙Ｐの搬送経路を構成するものである。搬送機構３５は、ピックアップローラ３１と、ニップローラ３２ａ〜３２ｅと、ガイド３３ａ〜３３ｄと、図示しないギアを介してピックアップローラ３１、ニップローラ３２を駆動するモータ３５ａ（図３参照）を含んでいる。ピックアップローラ３１は、用紙トレイ２０に積層されている用紙Ｐを上方から１枚ずつ送出する。ニップローラ３２ａ〜３２ｅは、搬送経路に沿って配置されており、用紙Ｐに搬送力を付与する。ガイド３３ａ〜３３ｄは、搬送経路においてピックアップローラ３１及びニップローラ３２ａ〜３２ｅの間にそれぞれ配置されており、ニップローラ３２ａ〜３２ｅによって搬送力が付与された用紙Ｐが次のニップローラ３２ａ〜３２ｅに到達するまで当該用紙Ｐをガイドする。搬送機構３５によって搬送された用紙Ｐは、インクジェットヘッド２とプラテン９との間である印刷領域を通過する際に、インクジェットヘッド２のノズルから吐出されたインク滴によって画像が印刷される。画像が印刷された用紙Ｐは、載置部１５に載置される。
【００１９】
搬送経路におけるニップローラ３２ｂのすぐ下流側には、用紙センサ１８が配置されている。搬送機構３５によって搬送されている用紙Ｐの搬送方向に関する下流側端部が用紙センサ１８の下方を通過したとき、用紙センサ１８の出力信号が変化する。この変化タイミングによってインクジェットヘッド２のノズルから吐出されるインク滴の吐出タイミングが決定される。
【００２０】
上筐体１１の上面には、載置部１５の一部を覆うようにスキャナユニット４０が設置されている。スキャナユニット４０は、スキャナ本体４１と、スキャナ本体４１の上面に配置されたフィーダ４２とを有している。フィーダ４２の上面には、給紙トレイ４３が形成されている。給紙トレイ４３にセットされた原稿（用紙）は、フィーダ４２によって図１右方に移動し右端において上面を外周面として進行方向を１８０°変えることで表裏反転し、スキャナ本体４１の上面（読み取り部：図示せず）を通過した後に、図１左方から排出されて排紙トレイ４４に載置される。用紙がスキャナ本体４１の読み取り部を通過するとき、スキャナ本体４１は用紙の一方面又は両面に形成された画像を読み取り、画像データを生成する。このように、給紙トレイ４３に複数枚の原稿を積層状態でセットすることで、この複数枚の原稿を連続して読み取ることができる。
【００２１】
スキャナ本体４１の上面には、原稿を直接載置することができる読み取り面（図示せず）が形成されている。軸４５を中心にしてフィーダ４２を上方に回動させることにより、スキャナ本体４１の読み取り面（フラットベッド）が露出する。露出させた読み取り面に原稿を直接セットすることで、スキャナ本体４１に原稿を一枚ずつ読み取らせることもできる。
【００２２】
ＭＦＰ１は、制御装置１ｐを有する。制御装置１ｐは、図３に示すように、ＣＰＵ５１と、ＲＯＭ５２と、ＲＡＭ５３と、フラッシュメモリ５４と、ネットワークインターフェース５５とを備えている。また、制御装置１ｐは、ヘッド２と、搬送機構３５が有するモータ３５ａと、スキャナ本体４１と、フィーダが有するモータ４２ａと、タッチパネル１７と、用紙センサ１８とに電気的に接続されている。
【００２３】
タッチパネル１７は、入力機能及び表示機能を備えたユーザインターフェースであり、動作状況の表示やユーザによる入力操作の受付を行う
【００２４】
ＲＯＭ５２には、ＭＦＰ１を制御するための制御プログラム５２ａであるファームウェアや各種設定、初期値等が記憶されている。ＲＡＭ５３およびフラッシュメモリ５４は、各種制御プログラムが読み出される作業領域として、あるいはデータを一時的に記憶する記憶領域として利用される。さらに、フラッシュメモリ５４には、プリント装置３０の動作パラメータ（プリントパラメータ）５４ａ、スキャナユニット４０の動作パラメータ（スキャンパラメータ）５４ｂ、ＭＦＰ１の固有情報としてＩＰ（Internet Protocol）アドレスなどが記憶されている。プリントパラメータ５４ａには、プリント装置３０が印刷処理を行うときの印刷解像度、印刷サイズ、用紙搬送速度、動作モードなどが含まれる。スキャンパラメータ５４ｂには、スキャナユニット４０がスキャン処理するときのスキャン解像度、動作モード、両面同時スキャン機能の有無などが含まれる。動作モードには静音モードの有効／無効、及び、設定の可否が含まれる。静音モードとは、用紙（原稿）の搬送速度を低減させた静音動作を行うモードである。これにより、モータやギアの駆動音を低減することができる。プリント装置３０の静音モードでは、印刷解像度を変化させることなく用紙の搬送速度をのみを低減する。スキャナユニット４０の静音モードでは、スキャン解像度を変化させることなく用紙の搬送速度をのみを低減する。
【００２５】
ＣＰＵ５１は、ＲＯＭ５２から読み出した制御プログラム５２ａや各種センサから送られる信号に従って、その処理結果をＲＡＭ５３またはフラッシュメモリ５４に記憶させながら、ＭＦＰ１の各構成要素を制御する。
【００２６】
ネットワークインターフェース５５は、ＭＦＰ１と同じＬＡＮ（Local Area Network）に接続されたＰＣ（Personal Computer）７０などの各種装置との間でデータの送受信を行う。データの送受信は、無線方式の通信により行われてもよいし、有線方式の通信により行われてもよい。
【００２７】
ＭＦＰ１は、制御プログラム５２ａが実行されることによって、タッチパネル１７、又は、ＬＡＮ（ネットワークインターフェース５５）を介してＰＣ７０から受信したコマンドに従って、プリント装置３０による印刷処理やスキャナユニット４０によるスキャン処理を含む各種処理を実行させることができる。印刷処理が実行されると、プリント装置３０が、コマンドと共に受信した印刷データに係る画像をプリントパラメータ５４ａに従って用紙に印刷する。また、スキャン処理が実行されると、スキャナユニット４０が、スキャンパラメータ５４ｂに従って用紙に印刷された画像をスキャンする。なお、スキャン処理を実行した後に、スキャン処理によって得られた画像データが用紙に印刷されるように印刷処理を行う連携動作を複写処理と称する。
【００２８】
ＰＣ７０は、ＣＰＵ７１、ＲＯＭ７２、ＲＡＭ７３、ＨＤＤ（Hard Disk Drive）７４、ネットワークインターフェース７５と、入力インターフェース７６と、表示インターフェース７７とを有している。
【００２９】
ネットワークインターフェース７５は、ＰＣ７０と同じＬＡＮに接続された各種装置との間でデータの送受信を行う。データの送受信は、無線方式の通信により行われてもよいし、有線方式の通信により行われてもよい。図３においては、ネットワークインターフェース７５は、ＬＡＮを介してＭＦＰ１のネットワークインターフェース５５と接続されている。これにより、ＰＣ７０とＭＦＰ１とがデータ通信可能となっている。
【００３０】
入力インターフェース７６には、入力デバイス（マウス、キーボード）７６ａが接続されており、表示インターフェース７７には、表示デバイス（モニター）７７ａが接続されている。ＨＤＤ７４には、ＯＳ（Operation System）８０、プリンタドライバ８２、スキャナドライバ８３がインストールされている。プリンタドライバ８２がＭＦＰ１のプリント装置３０に対応しており、スキャナドライバ８３は、ＭＦＰ１のスキャナユニット４０に対応している。ＣＰＵ７１はプリンタドライバ８２やスキャナドライバ８３を実行することにより、ＭＦＰ１の動作を制御することが可能となる。
【００３１】
図４を参照しつつ、複写処理の動作手順について詳細に説明する。ユーザは、スキャナユニット４０のフィーダ４２に原稿をセットした後に、ＰＣ７０からのコマンド受信、又は、ＭＦＰ１のタッチパネル１７に対する操作により、複写処理を開始することができる。なお、本実施形態においては、タッチパネル１７に対する操作により複写処理が開始された場合について説明する。複写処理が開始されると、図４に示すように、ＣＰＵ５１は、プリントパラメータ５４ａからプリント装置３０の動作モードを取得し（Ｓ１０１）、動作モードが静音モードに設定されているか否かを判断する（Ｓ１０２）。ＣＰＵ５１は、動作モードが静音モードに設定されていないと判断すると（Ｓ１０２：ＮＯ）、スキャン処理を実行してセットした原稿の画像をスキャンすることで画像データを取得し、取得した画像データに基づいて用紙に画像が印刷されるように印刷処理を行う連携動作を実行する（Ｓ１０６）。そして、図４のフローチャートを終了する。
【００３２】
ＣＰＵ５１は、動作モードが静音モードに設定されていると判断すると（Ｓ１０２：ＹＥＳ）、ＣＰＵ５１は、スキャンパラメータ５４ｂからスキャナユニット４０の機能を確認する（Ｓ１０３）。なお、スキャナユニット４０はオプション装置の有無などにより機能が変化する可能性があるため、ＣＰＵ５１は、その都度機能の確認を行う必要がある。ＣＰＵ５１は、スキャナユニット４０に静音モードの設定が可能か否かを判断する（Ｓ１０４）。ＣＰＵ５１は、静音モードの設定が可能と判断すれば（Ｓ１０４：ＹＥＳ）、Ｓ１０５に進む。Ｓ１０５において、ＣＰＵ５１はスキャンパラメータ５４ｂにおける動作モードが静音モードに設定されているか判断し（Ｓ１０５）、設定されていると判断した場合は（Ｓ１０５：ＹＥＳ）、Ｓ１０７へ進む。一方、スキャンパラメータ５４ｂにおける動作モードが静音モードに設定されていないと判断した場合は（Ｓ１０５：ＮＯ）、スキャンパラメータ５４ｂにおける動作モードを静音モードに設定した後に（Ｓ１０６）、スキャン処理及び印刷処理の連携動作を実行する（Ｓ１０７）。そして、図４のフローチャートを終了する。
【００３３】
ＣＰＵ５１は、静音モードの設定が可能でないと判断すれば（Ｓ１０４：ＮＯ）、高解像度スキャンによる半速制御が可能か否かを判断する（Ｓ１０８）。ここで、高解像度スキャンによる半速制御とは、スキャンパラメータ５４ｂにおけるスキャン解像度の倍の高解像度でスキャンを実行することで、フィーダ４２における原稿の搬送速度を半分にする静音動作が行われる制御である。例えば、スキャン解像度が１つしか指定できない場合には、高解像度スキャンによる半速制御はできないことになる。ＣＰＵ５１は、高解像度スキャンによる半速制御が可能と判断すれば（Ｓ１０８：ＹＥＳ）、スキャンパラメータ５４ｂにおけるスキャン解像度を倍に（高解像度化）する（Ｓ１０９）。さらに、ＣＰＵ５１は、スキャン処理によって得られた画像データにおけるフィーダ４２の原稿搬送方向に関する解像度を半分に低下させる（低解像度化処理：Ｓ１１０）。その後、ＣＰＵ５１は、スキャン処理及び印刷処理の連携動作を実行する（Ｓ１０７）。このとき、先の設定に従って、スキャン処理によって得られた画像データを低解像度化し、低解像度化した画像データに基づいて画像が印刷されるように印刷処理を実行する。そして、図４のフローチャートを終了する。
【００３４】
ＣＰＵ５１は、高解像度スキャンによる半速制御が可能でないと判断すれば（Ｓ１０８：ＮＯ）、両面スキャンによる半速制御が可能か否かを判断する（Ｓ１１１）。ここで、両面スキャンによる半速制御とは、両面スキャンを実行することで、フィーダ４２における原稿の搬送速度を半分にする静音動作が行われる制御である。両面スキャンは片面スキャンのときと比較して単位時間当たりのデータ処理が倍となるため、必然的に搬送速度を半分に低下させる必要がある。例えば、スキャナ本体４１が両面スキャンできない仕様であれば、両面スキャンによる半速制御はできないことになる。ＣＰＵ５１は、両面スキャンによる半速制御が可能と判断すれば（Ｓ１１１：ＹＥＳ）、スキャンパラメータ５４ｂに両面スキャン動作を設定する（Ｓ１１２）。さらに、ＣＰＵ５１は、スキャン処理によって得られた原稿両面それぞれの画像データのうち、一方面に対応する画像データを削除する（片面化処理：Ｓ１１３）。その後、ＣＰＵ５１は、スキャン処理及び印刷処理の連携動作を実行する（Ｓ１０７）。このとき、先の設定に従って、スキャン処理に得られた画像データを低解像度化し、低解像度化した画像データに基づいて画像が印刷されるように印刷処理を実行する。そして、図４のフローチャートを終了する。
【００３５】
以上、詳細に説明したように本実施形態のＭＦＰ１によると、プリント装置３０について動作モードが静音モードに設定されていれば、スキャナユニット４０を、静音動作させるため、静音性が損なわれるのを低減することができる。
【００３６】
また、用紙（原稿）の搬送速度を低減させることで静音動作を行うため、静音性を容易に実現することができる。
【００３７】
さらに、スキャナユニット４０が静音モードを設定することができなくても、高解像度半速制御又は両面スキャン半速制御により静音性が損なわれるのを低減することができる。
【００３８】
このとき、スキャン結果である画像データの解像度が高くなる又は、両面分のデータが取得されるが、低解像度化処理又は片面化処理を行った後に印刷処理を行うため、ユーザが所望する結果で画像が印刷される。
【００３９】
＜第２実施形態＞
本発明に係る第２実施形態について説明する。なお、第１実施形態と実質的に同様の部材については、第１実施形態と同一の符号を付して説明を省略する。本実施形態は、第１実施形態と複写処理の動作手順のみが異なるため、以下、この点についてのみ詳細に説明する。
【００４０】
複写処理が開始されると、図５に示すように、ＣＰＵ５１は、プリントパラメータ５４ａからプリント装置３０及びスキャナユニット４０の動作モードを取得し（Ｓ２０１）、プリント装置３０及びスキャナユニット４０の一方のみの動作モードが静音モードに設定されているか否かを判断する（Ｓ２０２）。ＣＰＵ５１は、一方のみの動作モードが静音モードに設定されていない（両方が静音モードに設定されている又は両方が通常モードに設定されている）と判断すると（Ｓ２０２：ＮＯ）、スキャン処理を実行してセットした原稿の画像をスキャンすることで画像データを取得し、取得した画像データに基づいて用紙に画像が印刷されるように印刷処理を行う連携動作を実行する（Ｓ２０６）。そして、図５のフローチャートを終了する。なお、通常モードとは、ユーザにより直接指定された解像度（プリント装置３０の場合は印刷解像度、スキャナユニット４０の場合はスキャン解像度）での動作を行うときに最も作業効率のよいパラメータで動作するモードである。
【００４１】
ＣＰＵ５１は、一方のみの動作モードが静音モードに設定されていると判断すると（Ｓ２０２：ＹＥＳ）、ＣＰＵ５１は、各装置の動作モードを静音モードで動作させるか否かの選択を促す選択画面をタッチパネル１７に表示させる（Ｓ２０３）。具体的には、（Ａ）プリント装置３０及びスキャナユニット４０の両方を静音モードで動作させるか、（Ｂ）プリント装置３０及びスキャナユニット４０の両方を通常の動作モードで動作させるか、及び、（Ｃ）プリント装置３０及びスキャナユニット４０のうち静音モードが設定されている一方を静音モードで動作させ、他方を通常の動作モードで動作させるかのいずれかをユーザに選択させる。
【００４２】
ＣＰＵ５１は、ユーザがタッチパネル１７に対する操作により、（Ａ）プリント装置３０及びスキャナユニット４０の両方を静音モードで動作させることを選択したと判断したときは（Ｓ２０４：ＹＥＳ）、プリント装置３０及びスキャナユニット４０のうち静音モードが設定されていない装置の動作モードを静音モードに設定する（Ｓ２０５）。ＣＰＵ５１は、スキャン処理を実行してセットした原稿の画像をスキャンすることで画像データを取得し、取得した画像データに基づいて用紙に画像が印刷されるように印刷処理を行う連携動作を実行する（Ｓ２０６）。そして、図５のフローチャートを終了する。
【００４３】
ＣＰＵ５１は、ユーザがタッチパネル１７に対する操作により、（Ｂ）プリント装置３０及びスキャナユニット４０の両方を通常の動作モードで動作させることを選択したと判断したときは（Ｓ２０７：ＹＥＳ）、プリント装置３０及びスキャナユニット４０のうち静音モードが設定されている装置の動作モードを静音モードから通常の動作モードに変更する（Ｓ２０８）。ＣＰＵ５１は、スキャン処理を実行してセットした原稿の画像をスキャンすることで画像データを取得し、取得した画像データに基づいて用紙に画像が印刷されるように印刷処理を行う連携動作を実行する（Ｓ２０６）。そして、図５のフローチャートを終了する。
【００４４】
ＣＰＵ５１は、ユーザがタッチパネル１７に対する操作により、（Ｃ）プリント装置３０及びスキャナユニット４０のうち静音モードが設定されている一方を静音モード動作させ、他方を通常の動作モードで動作させることを選択したと判断したときは（Ｓ２０７：ＮＯ）、そのまま、ＣＰＵ５１は、スキャン処理を実行してセットした原稿の画像をスキャンすることで画像データを取得し、取得した画像データに基づいて用紙に画像が印刷されるように印刷処理を行う連携動作を実行する（Ｓ２０６）。そして、図５のフローチャートを終了する。
【００４５】
以上、詳細に説明したように本実施形態のＭＦＰによると、プリント装置３０及びスキャナユニット４０の一方についてのみ動作モードが静音モードに設定されていれば、プリント装置３０及びスキャナユニット４０の他方を、ユーザの選択により静音動作させるため、静音性が損なわれるのを低減することができる。
【００４６】
また、ユーザは、上記（Ａ）〜（Ｃ）から所望の動作モードの組み合わせを選択することができるため、ユーザの操作性が向上する。
【００４７】
＜第３実施形態＞
本発明に係る第３実施形態について説明する。なお、第１実施形態と実質的に同様の部材については、第１実施形態と同一の符号を付して説明を省略する。
【００４８】
上述の第１及び第２実施形態においては、プリント装置とスキャナユニットとを有するＭＦＰの制御装置に本発明を適用した例について説明したが、プリント装置とスキャナユニットとが互いに独立した装置であってもよい。本実施形態においては、図６に示すように、プリント装置２３０及びスキャン装置２４０と同じネットワークに接続されたＰＣ７０にインストールされたプリンタドライバ及びスキャナドライバに本発明を適用した例について説明する。プリント装置２３０が記憶しているプリントパラメータ及びスキャン装置２４０が記憶しているスキャンパラメータには、当該装置の設置エリア及びエリア間距離が記憶されている。図６の場合、スキャン装置２４０がエリアＡに装置２３０がエリアＢに設置されている。
【００４９】
複写処理が開始されると、図７に示すように、ＰＣ７０のＣＰＵ７１は、ネットワーク通信を介して、プリント装置２３０及びスキャン装置２４０からそれぞれの動作モードを取得し（Ｓ３０１）、プリント装置２３０及びスキャン装置２４０の一方のみの動作モードが静音モードに設定されているか否かを判断する（Ｓ３０２）。ＣＰＵ７１は、一方のみの動作モードが静音モードに設定されていない（両方が静音モードに設定されている又は両方が通常モードに設定されている）と判断すると（Ｓ３０２：ＮＯ）、スキャン装置２４０にコマンドを送信してスキャン装置２４０にスキャン処理を実行させると共に、スキャン結果の画像データを受信する。さらに、プリント装置２３０に受信した画像データと共にコマンドを送信し、プリント装置２３０に受信した画像データに基づいて用紙に画像が印刷されるように印刷処理を実行させる（連携動作：Ｓ３０６）。そして、図７のフローチャートを終了する。
【００５０】
ＣＰＵ７１は、一方のみの動作モードが静音モードに設定されていると判断すると（Ｓ３０２：ＹＥＳ）、各装置の設置エリアを取得し（Ｓ３０３）、両者が同一エリアに設置されているか否かを判断する（Ｓ３０４）。ＣＰＵ７１は、両者が同一エリアに設置されていないと判断すると（Ｓ３０４；ＮＯ）、スキャン装置２４０にスキャン処理を実行させると共に、プリント装置２３０に印刷処理を実行させる連携動作を行う（Ｓ３０６）。そして、図７のフローチャートを終了する。
【００５１】
ＣＰＵ７１は、両者が同一エリアに設置されていると判断すると（Ｓ３０４；ＹＥＳ）、他方の装置の動作モードを静音モードに設定し（Ｓ３０５）、スキャン装置２４０にスキャン処理を実行させると共に、プリント装置２３０に印刷処理を実行させる連携動作を行う（Ｓ３０６）。そして、図７のフローチャートを終了する。
【００５２】
以上、詳細に説明したように本実施形態によると、プリント装置２３０及びスキャン装置２４０の一方についてのみ動作モードが静音モードに設定されており且つ両者が同一エリアにある場合、プリント装置２３０及びスキャン装置２４０の他方を、静音動作させることができるため、静音性が損なわれるのを低減することができる。
【００５３】
また、同一エリアに設置されているときにのみ、プリント装置２３０及びスキャン装置２４０の他方を静音動作させるため、設置エリアが異なるときは静音性を考慮することなくスループットを向上させることができる。
【００５４】
なお、本実施形態は単なる例示にすぎず、本発明を何ら限定するものではない。したがって本発明は当然に、その要旨を逸脱しない範囲内で種々の改良、変形が可能である。例えば、上述の第１実施形態では、用紙（原稿）の搬送速度を低減させることで静音動作を行う構成であるが、静音モードが設定できない場合は通常モードのみを実行する構成であってよい。
【００５５】
さらに、上述の第１実施形態では、スキャナユニット４０が静音モードを設定することができない場合、高解像度半速制御、両面スキャン半速制御の順に実行可能か否かを判断する構成であるが、両面スキャン半速制御、高解像度半速制御の順に実行可能か否かを判断する構成であってもよいし、少なくともいずれかの判断を行わない構成であってもよい。
【００５６】
また、高解像度半速制御を実行したとき、スキャン結果である画像データの低解像度化処理を行う構成であるが、低解像度化処理を行わない構成であってもよい。この場合、プリント装置において、強制的に低解像度化された画像データで印刷処理が実行されることが好ましい。例えば、プリント装置が印刷可能な最高解像度を超える解像度の画像データを受信したとき、プリント装置は、受信した画像データの解像度に関わらず最高解像度での印刷処理が実行される。
【００５７】
さらに、上述の第１実施形態においては、図４のＳ１０１，Ｓ１０２及びＳ１０３に代えて、図５のＳ２０１及びＳ２０２を行ってもよい。
【００５８】
第１の実施形態において、スキャナユニット４０に対して、静音モードが設定できないことが予め確定している場合は、Ｓ１０２、Ｓ１０３、Ｓ１０４、Ｓ１０５、Ｓ１０６を行うことなく、Ｓ１０１の後、Ｓ１０８を実行してもよい。高解像度半速制御処理と、両面スキャン半速スキャンのいずれかしか実行できないことも予め確定している場合は、Ｓ１０８〜Ｓ１１３のうち、Ｓ１０９及びＳ１１０、又はＳ１１２及びＳ１１３のいずれかのみを行う構成としてもよい。  
【００５９】
また、上述の第３実施形態においては、制御装置がプリント装置２３０又はスキャン装置２４０内にあってもよい。
【００６０】
加えて、上述第３実施形態において、記録装置及び読み取り装置がそれぞれ複数あってもよい。その場合、Ｓ３０１では、ＣＰＵ７１は、複写処理に用いるすべてのプリント装置、スキャン装置からそれぞれの動作モードを取得する。そしてＳ３０２では、プリント装置、スキャン装置の少なくとも１つの動作モードが静音モードに設定されており、かつ、少なくとも１つの動作モードが静音モードに設定されていないか否かを判断する。全てが静音モードに設定されている、又は全てが通常モードに設定されていると判断すると（Ｓ３０２：ＮＯ）、Ｓ３０６へ進む。プリント装置、スキャン装置の少なくとも１つの動作モードが静音モードに設定されており、かつ、少なくとも１つの動作モードが静音モードに設定されていないと判断すると（Ｓ３０２：ＹＥＳ）、Ｓ３０３へ進む。また、Ｓ３０４では、静音モードに設定されていない装置と、静音モードに設定されている装置とが、同一エリアに設置されているか否かを判断する。
【００６１】
また、上述の第３実施形態における図６と同様のネットワーク構成において、第１、第２実施形態で説明したような制御を行ってもよい。また、ＰＣ７０に代えて、携帯電話、タブレットのような携帯端末を用いてもよい。その場合、携帯端末には、プリンタドライバ、スキャナドライバに代えて、プリンタ、スキャナを制御するアプリがインストールされており、このアプリによって、図７に示す処理が実行される。
【符号の説明】
【００６２】
１…ＭＦＰ
１ｐ…制御装置
２…ヘッド
１５…排紙トレイ
１７…タッチパネル
１８…用紙センサ
３０…プリント装置
３５…搬送機構
４０…スキャナユニット
４１…スキャナ本体
４２…フィーダ
５１…ＣＰＵ
５２…ＲＯＭ
５２ａ…制御プログラム
５３…ＲＡＭ
５４…フラッシュメモリ
５５…ネットワークインターフェース
７０…ＰＣ
７０ａ…ドライバ
【図１】
2015195513.tif 000003
【図２】
2015195513.tif 000004
【図３】
2015195513.tif 000005
【図４】
2015195513.tif 000006
【図５】
2015195513.tif 000007
【図６】
2015195513.tif 000008
【図７】
2015195513.tif 000009